(57)【要約】【課題】  老齢基礎年金の納付期間と給付額、或は、免除期間と給付額の関係を、簡単な操作で直ちに求めることができる年金早見表を提供すること。【解決手段】  適宜平面形状のベース板１の表面に、任意の位置に設定した中心から放射状に複数の表示区画2A，2Bを形成し、各表示区画2a〜2tに、納付期間を示す年数表示3b各手数に対応する給付額3cを記載する一方、前記表示区画2a〜2tの全区画を上面から覆う大きさの第１回転板３を、その中心を前記ベース板１の中心に軸止めすると共に、当該第１回転板３に、前記表示区画2a〜2tにおける一つの区画に対応した大きさの開放窓3aを形成して成り、この第１回転板３を回転させてその開放窓3aをベース板１の表示区画2a〜2tにおける所望の納付年数3bに合せると、その年数の下に記載された給付額3cを当該窓から判読できるようにしたこと。【選択図】  図１
0003108002.tif 000002
【実用新案登録請求の範囲】
【請求項１】
適宜平面形状のベース板の表面に、任意の位置に設定した中心から放射状に複数の表示区画を形成し、各表示区画に、納付期間を示す年数表示と各年数に対応する給付額を記載する一方、前記表示区画の全区画を上面から覆う大きさの第１回転板を、その中心を前記ベース板の中心に軸止めすると共に、当該第１回転板に、前記表示区画における一つの区画に対応した大きさの開放窓を形成して成り、この第１回転板を回転させてその開放窓をベース板の表示区画における所望の納付年数に合せると、その年数の下に記載された給付額を当該窓から判読できるようにしたことを特徴とする年金早見表。
【請求項２】
ベース板の裏面に、当該ベース板に設定した中心から放射状に複数の表示区画を形成し、各表示区画に、納付免除期間を示す年数表示と各年数に対応する給付額を記載する一方、前記表示区画の全区画を上面から覆う大きさの第２回転板を、その中心を前記ベース板の中心に軸止めすると共に、当該第２回転板に前記表示区画の一つの区画に対応した大きさの開放窓を形成し、この第２回転板を回転させてその開放窓をベース板の所望の納付免除年数に合せると、その年数の下に記載された給付額を当該窓から判読できるようにした請求項１の年金早見表。
【請求項３】
納付免除期間を示す年数表示区画は、全額免除期間を示す年数表示区画か、又は、半額免除期間を示す年数表示区画として形成した請求項２の年金早見表。
【請求項４】
半額免除における免除期間と対応する給付額の早見表を、全額免除の早見表の上でそれと同軸上に形成した請求項３の年金早見表。
【請求項５】
全額免除や半額免除以外の免除額における免除期間と対応する給付額の早見表を、請求項１の早見表、又は、全額免除又は半額免除の早見表の上でそれと同軸上に形成した請求項２〜４のいずれかの年金早見表。
【考案の詳細な説明】
【技術分野】
【０００１】
本考案は、老齢基礎年金について、自分の国民年金保険料の納付年数や保険料の納付免除年数（免除には全額免除と半額免除がある）などに応じて、自分が年額いくらの老齢基礎年金を受給できるかを、簡単な操作で素早く見出すことを可能にした年金早見表に関する。
【背景技術】
【０００２】
国民年金制度は近年における度々の改正によって複雑化し、特に老齢基礎年金については、その納付期間や免除期間と給付額（以下、受給額ということもある）の関係は、専門家であっても相当に判り難いものとなっている。また、免除制度も、全額免除と半額免除の２本建てとなっているため、前記の判り難さが一層拡大されている。
【０００３】
しかし、現状では保険料の納付期間や免除期間と給付年金額との関係が一目で判るような利便性の高いツールはなく、従って、保険料の納付期間、或は、免除期間と給付される年金額との関係を一目で知得することができる道具があれば、至便であると考えられる。
【考案の開示】
【考案が解決しようとする課題】
【０００４】
そこで本考案では、老齢基礎年金の納付期間と給付額、或は、免除期間と給付額の関係を、簡単な操作で直ちに求めることができる年金早見表を提供することを課題とする。
【課題を解決するための手段】
【０００５】
上記課題を解決することを目的としてなされた本考案年金早見表の構成は、適宜平面形状のベース板の表面に、任意の位置に設定した中心から放射状に複数の表示区画を形成し、各表示区画に、納付期間を示す年数表示と各手数に対応する給付額を記載する一方、前記表示区画の全区画を上面から覆う大きさの第１回転板を、その中心を前記ベース板の中心に軸止めすると共に、当該第１回転板に、前記表示区画における一つの区画に対応した大きさの開放窓を形成して成り、この第１回転板を回転させてその開放窓をベース板の表示区画における所望の納付年数に合せると、その年数の下に記載された給付額を当該窓から判読できるようにしたことを特徴とするものである。
【０００６】
本考案早見表では、上記構成に加え、又は、上記構成とは別に、上記ベース板の裏面に、当該ベース板に設定した中心から放射状に複数の表示区画を形成し、各表示区画に、納付免除期間を示す年数表示と各年数に対応する給付額を記載する一方、前記表示区画の全区画を上面から覆う大きさの第２回転板を、その中心を前記ベース板の中心に軸止めすると共に、当該第２回転板に前記表示区画の一つの区画に対応した大きさの開放窓を形成し、この第２回転板を回転させてその開放窓をベース板の所望の納付免除年数に合せると、その年数の下に記載された給付額を当該窓から判読できるようにした構成の納付免除における給付額の早見表を形成することができる。
【０００７】
年金の免除制度には、現行法下では、全額免除と半額免除があるので、本考案早見表では上記段落０００６の構成を、全額免除又は半額免除に適用することができるが、本考案では上記段落０００６の構成を全額免除における免除期間と対応する給付額の早見表とする一方、半額免除における免除期間と対応する給付額の早見表を、上記の全額免除の早見表と同軸上に形成することができる。なお、免除額については、法改正などにより、例えば１／３免除や１／４免除などが導入されることも考えられるが、このような免除額での免除制度の適用を受けた年金の給付額の早見表も、上記と同じ要領により形成することができる。
【０００８】
即ち、本考案早見表において、ベース板の裏面に形成される半額免除の早見表の第一の構成は、上記段落０００６の全額免除の給付額早見表の構成における第２回転板に、それに設けた開放窓と干渉しない第２回転板の中心寄りの内側に、当該第２回転板の中心から放射状に複数の表示区画を形成し、各表示区画に半額免除の期間を示す年数表示と各年数に対応する給付額を記載する一方、前記半額免除の表示区画の全区画を上面から覆う大きさの第３回転板を、その中心を前記ベース板の中心に軸止めすると共に、当該第３回転板に前記表示区画における一つの区画に対応した開放窓を形成し、この第３回転板を回転させてその開放窓を所望の半額免除年数に合せると、その年数の下に記載された給付額を当該窓から判読できるようにした構成とする。
【０００９】
本考案における半額免除の早見表の第二の構成は、全額免除の早見表の構成（段落０００６，０００７）において、ベース板裏面に放射状に形成した複数の表示区画の外周寄りのスペースを全額免除に係る表示欄とし、中心寄りのスペースを半額免除に係る表示欄とする一方、第２回転板の半額免除に係る表示欄を覆う部分を、細い支骨を残して大きい窓孔を明けて下の半額免除の表示欄が見えるように形成し、この大きい窓孔を覆うようにして段落０００８の第２回転板を軸止めする構成とすることができる。
【考案の効果】
【００１０】
本考案では、適宜平面形状のベース板の表面に、任意の位置に設定した中心から放射状に複数の表示区画を形成し、各表示区画に、納付期間を示す年数表示と各手数に対応する給付額を記載する一方、前記表示区画の全区画を上面から覆う大きさの第１回転板を、その中心を前記ベース板の中心に軸止めすると共に、当該第１回転板に、前記表示区画における一つの区画に対応した開放窓を形成して成り、この第１回転板を回転させてその開放窓をベース板の表示区画における所望の納付年数に合せると、その年数の下に記載された給付額を当該窓から判読できるようにして年金早見表を構成したから、回転板を回転させる操作により、保険料の納付年数に応じた年金の年間給付額を容易かつ迅速に知ることができて便利である。
【考案を実施するための最良の形態】
【００１１】
次に本考案年金早見表の実施の形態について、図を参照して説明する。図１は本考案早見表の一例におけるベース板の表面側での構成を説明するための斜視図、図２は図１の早見表における裏面側の構成を説明するための斜視図である。
【００１２】
１は厚紙やプラスチック板などの板材により形成した、ここでは縦長長方形のベース板、２は該ベース板１の表面1aにおいて、上下方向の中間より稍上方に中心01を設定して描いた円形の表示部で、この表示部２には一例として全周を20等分する前記中心01から放射状に描いた区画線によって、20個の表示区画2a〜2t（図では中間の符号省略）が形成されている。なお、本考案において、ベース板１の平面形状は、上記の長方形に限られるものではなく、正方形や他の多角形、或は、円形であってもよい。要は、後に説明する表示欄が形成できるものであればよい。また、表示区画2a〜2tの数は、20個以上或は20個以下であってもよい。
【００１３】
前記20個の表示区画2a〜2tは、その外周寄りの年数表示欄2Aと各区画2a〜2tの年数表示欄2Aに対応した金額表示欄2Bに分けられ、各表示区画2a〜2tにおける各表示欄2Aと2Bに、それぞれ具体的な数字が記載されている。因みに、各年数表示欄2Aには、図示した例では納付期間が「20年」から「40年」までが１年ごとに各表示区画2a〜2tに記載され、給付金額（受給額ともいう、以下、同じ）の表示欄2Bには、上記の各納付期間に夫々に対応した給付金額が表示されている。
【００１４】
３は上記ベース板１の円形表示部２と同等乃至は少し小さい外形の円板によって形成した回転板で、この回転板３の表面には、前記ベース板１の１つの表示区画2a（〜2tのいずれか一つ）と略同じ左右幅の開放窓3aが形成され、該窓3aの脇に、「納付年数」と「受給額」の表示3bと3cが記載されている。
【００１５】
上記構成を備えた回転板３は、その中心02において、ベース板１に設定した中心01に、軸４により回転自在に止められることにより、本考案年金早見表の一例に形成される。
【００１６】
即ち、国民年金の保険料を、例えば30年間納付した人は、回転板３を指先で回転させて、その開放窓3aを、「納付年数」が「30年」に合せると、その数値の下（中心寄り側）に「595,900円」の金額が表示されているので、この金額が年金保険料を30年間納付した人の年間受給額になることが、直ちに判る。この例では「納付年数」が20年〜40年までと各年ごとの受給額が、ベース板１の表示部２における表示欄2A，2Bに記載されているから、開放窓3aを合せて各納付年数ごとにそれぞれの受給額を知ることができる。表示部２に記載する納付年数をもっと多くすれば、さらに広範囲の納付年数に対応した受給金額を回転板３の操作で知ることができる。
【００１７】
以上の説明は、保険料を一定の期間納付した場合の給付年金の金額を納付した年数ごとに知るための早見表であったが、基礎年金は、保険料の納付が一定条件の下で免除された場合にも給付されることが法定されている。
【００１８】
そこで本考案では、保険料の納付が免除された場合の給付金額を免除年数ごとに知ることができ、しかも、免除制度が半額免除と全額免除の２本建てであることに対応し、双方の免除年数ごとの給付金額を知ることができるように、上記ベース板１の裏面に、全額免除と半額免除の場合の免除年数と各年数での給付金額の早見表を形成したので、以下に図２を参照して説明する。
【００１９】
図２において、５は前記ベース板１の裏面1bに、先に設定した中心01を中心に描いた円形の第２表示部で、この表示部５には全周を20等分する中心01から放射状に描いた区画線によって20個の表示区画5a〜5t（図では中間の符号を省略）が形成されている。
【００２０】
前記20個の表示区画5a〜5tは、その外周寄りの全額免除年数表示欄5Aと各区画5a〜5tの年数表示部5Aに対応した金額表示欄5Bに分けられ、各表示区画5a〜5tにおける各表示欄5Aと5Bに、それぞれ具体的な数字が記載されている。因みに、全額免除の各年数表示欄5Aには、免除期間が「１年」から「20年」までが１年ごとに各表示区画5a〜5tに記載され、給付金額の表示欄5Bには、上記の各納付免除期間の夫々に対応した給付金額が表示されている。
【００２１】
６は上記ベース板１の裏面の円形表示部５より少し大きい外形乃至ほぼ同等の外形の円板によって形成した第２回転板で、この回転板６には、前記ベース板１の裏面の１つの表示区画5a（〜5tのいずれか）と略同じ幅の開放窓6aが形成され、該窓6aの脇に、「全額免除年数」と「受給額」の表示6bと6cが記載されている。
【００２２】
上記の第２回転板６は、その中心03において、ベース板１に設定した中心01に、第１回転板３と共通の軸４により回転自在に止められることにより、本考案における全額免除された場合の年金早見表の例に形成される。
【００２３】
即ち、国民年金の保険料を、例えば10年間免除された人は、回転板６を指先で回転させて、その開放窓6aを、全額免除「年数」が「10年」のところに合せると、その数値の下（中心寄り側）に「66,200円」の金額が表示されるので、この金額が年金保険料の納付を10年間全額免除された人の年間受給額になることが直ちに判る。この例では「全額免除年数」が１年〜20年までベース板１裏面の表示部６に記載されているから各年ごとに受給額を知ることができる。表示部６に記載する納付手数をもっと多くすれば、さらに広範囲の免除年数に対応した受給金額を回転板６の一操作で知ることができる。
【００２４】
本考案においては、半額免除を受けた場合における給付額の早見表を、図２のベース板１の裏面1bにおいて、全額免除を受けた場合の給付額の早見表の上に、それと同軸上に形成している。
【００２５】
即ち、まず、ベース板１の裏面における第２表示部５と同心上であって、上記全額免除に関する表示欄5A，5Bの内側（中心寄り）に、半額免除の年数表示欄7Aと金額表示欄7Bとを、前記の各表示区画5a〜5tと同位相の各表示区画7a〜7t（図では中間の符号を省略）により形成している。
【００２６】
そして、上記半額免除に係る表示欄7A，7Bを覆う第２回転板６において、当該表示部4Aと4Bを覆っている部分を、細い支骨6dを十字状に残して略１／４円弧状の４つの開放窓6eを形成することにより、第２回転円板６の上から見えるようにする。
【００２７】
上記のようにして、第２回転板６の４つの開放窓6eから見える半額免除に係る表示欄7A，7Bに対し、外周側に位置した表示欄7Aの外径と略同等の外径を有する回転板８であって、表示欄7A，7Bにおける一つの表示区画7a（〜7tの一つ）に見合う大きさ，形状の開放窓8aを形成した第３回転板８を、その中心04において上記の第１，第２の回転板３，６をベース板１に止める軸４によって回転可能に取付けることにより、半額免除に係る期間と各期間に対応した受給年金額を知るための早見表が、全額免除に係る早見表と同軸上であって、全額免除の早見表の内側（中心寄り）に形成される。
なお、前記開放窓8aの脇には、「半額免除年数」と「受給額」の表示8bと8cが記載されている点は、全額免除に係る開放窓6aの構成と同様である。
【００２８】
上記の半額免除に係る早見表において、表示欄7A，7Bはベース板１の裏面1bにおける全額免除に係る表示欄5A，5Bの内側（中心01寄り）に形成したが、本考案においては、この半額免除に係る表示欄7A，7Bを、第２回転板６の表面に形成した構成とすることもできる。半額免除に係る表示欄7A，7Bを第２回転板６の表面に形成すると、先の実施例において当該回転板６に形成した１／４円弧状の４つの開放窓6eは当然のことながら設ける必要がない。
【００２９】
第３回転板８の開放窓8aを半額免除された年数に合せれば、そこに受給年金額が窓8aから見える点は、先に説明した全額免除のケースと同様である。なお、図において、1c，1dはベース板１において、回転板３，６の回転をスムースに行うための凹状切欠き部である。
【産業上の利用可能性】
【００３０】
本考案年金早見表は以上の通りであって、３つの回転体を選択して回転させ、自分が納付した保険料の納付期間の年数、或は、納付が全額及び／又は半額免除など、免除された額とその免除期間の年数に、各回転体に形成した窓を合せれば、その合せた窓から見える年数に対応した受給できる年金額が現われるので、年金制度の詳細を知らなくても、自分の保険料納付のトータル年数、或は、免除されたトータル年数さえ判っていれば、たちどころに受給年金額を知ることができるので、給付される国民年金の年金額を簡易に知るためのツールとしてきわめて有用である。
【図面の簡単な説明】
【００３１】
【図１】本考案早見表の一例におけるベース板の表面側での構成を説明するための斜視図。
【図２】図１の早見表における裏面側の構成を説明するための斜視図。
【符号の説明】
【００３２】
１        ベース板
２        円形表示部
2A        年数表示欄
2B        金額表示欄
2a〜2t    20（年分）の表示区画
３        回転板
3a        開放窓
3b        「納付年数」表示
3c        「受給額」表示
【図１】
0003108002.tif 000003
【図２】
0003108002.tif 000004
【手続補正書】
【提出日】平成16年10月1日(2004.10.1)
【手続補正１】
【補正対象書類名】明細書
【補正対象項目名】全文
【補正方法】変更
【補正の内容】
【考案の詳細な説明】
【技術分野】
【０００１】
本考案は、老齢基礎年金について、自分の国民年金保険料の納付年数や保険料の納付免除年数（免除には全額免除と半額免除がある）などに応じて、自分が年額いくらの老齢基礎年金を受給できるかを、簡単な操作で素早く見出すことを可能にした年金早見表に関する。
【背景技術】
【０００２】
国民年金制度は近年における度々の改正によって複雑化し、特に老齢基礎年金については、その納付期間や免除期間と給付額（以下、受給額ということもある）の関係は、専門家であっても相当に判り難いものとなっている。また、免除制度も、全額免除と半額免除の２本建てとなっているため、前記の判り難さが一層拡大されている。
【０００３】
しかし、現状では保険料の納付期間や免除期間と給付年金額との関係が一目で判るような利便性の高いツールはなく、従って、保険料の納付期間、或は、免除期間と給付される年金額との関係を一目で知得することができる道具があれば、至便であると考えられる。
【考案の開示】
【考案が解決しようとする課題】
【０００４】
そこで本考案では、老齢基礎年金の納付期間と給付額、或は、免除期間と給付額の関係を、簡単な操作で直ちに求めることができる年金早見表を提供することを課題とする。
【課題を解決するための手段】
【０００５】
上記課題を解決することを目的としてなされた本考案年金早見表の構成は、適宜平面形状のベース板の表面に、任意の位置に設定した中心から放射状に複数の表示区画を形成し、各表示区画に、納付期間を示す年数表示と各年数に対応する給付額を記載する一方、前記表示区画の全区画を上面から覆う大きさの第１回転板を、その中心を前記ベース板の中心に軸止めすると共に、当該第１回転板に、前記表示区画における一つの区画に対応した大きさの開放窓を形成して成り、この第１回転板を回転させてその開放窓をベース板の表示区画における所望の納付年数に合せると、その年数の下に記載された給付額を当該窓から判読できるようにしたことを特徴とするものである。
【０００６】
本考案早見表では、上記構成に加え、又は、上記構成とは別に、上記ベース板の裏面に、当該ベース板に設定した中心から放射状に複数の表示区画を形成し、各表示区画に、納付免除期間を示す年数表示と各年数に対応する給付額を記載する一方、前記表示区画の全区画を上面から覆う大きさの第２回転板を、その中心を前記ベース板の中心に軸止めすると共に、当該第２回転板に前記表示区画の一つの区画に対応した大きさの開放窓を形成し、この第２回転板を回転させてその開放窓をベース板の所望の納付免除年数に合せると、その年数の下に記載された給付額を当該窓から判読できるようにした構成の納付免除における給付額の早見表を形成することができる。
【０００７】
年金の免除制度には、現行法下では、全額免除と半額免除があるので、本考案早見表では上記段落０００６の構成を、全額免除又は半額免除に適用することができるが、本考案では上記段落０００６の構成を全額免除における免除期間と対応する給付額の早見表とする一方、半額免除における免除期間と対応する給付額の早見表を、上記の全額免除の早見表と同軸上に形成することができる。なお、免除額については、法改正などにより、例えば１／３免除や１／４免除などが導入されることも考えられるが、このような免除額での免除制度の適用を受けた年金の給付額の早見表も、上記と同じ要領により形成することができる。
【０００８】
即ち、本考案早見表において、ベース板の裏面に形成される半額免除の早見表の第一の構成は、上記段落０００６の全額免除の給付額早見表の構成における第２回転板に、それに設けた開放窓と干渉しない第２回転板の中心寄りの内側に、当該第２回転板の中心から放射状に複数の表示区画を形成し、各表示区画に半額免除の期間を示す年数表示と各年数に対応する給付額を記載する一方、前記半額免除の表示区画の全区画を上面から覆う大きさの第３回転板を、その中心を前記ベース板の中心に軸止めすると共に、当該第３回転板に前記表示区画における一つの区画に対応した開放窓を形成し、この第３回転板を回転させてその開放窓を所望の半額免除年数に合せると、その年数の下に記載された給付額を当該窓から判読できるようにした構成とする。
【０００９】
本考案における半額免除の早見表の第二の構成は、全額免除の早見表の構成（段落０００６，０００７）において、ベース板裏面に放射状に形成した複数の表示区画の外周寄りのスペースを全額免除に係る表示欄とし、中心寄りのスペースを半額免除に係る表示欄とする一方、第２回転板の半額免除に係る表示欄を覆う部分を、細い支骨を残して大きい窓孔を明けて下の半額免除の表示欄が見えるように形成し、この大きい窓孔を覆うようにして段落０００８の第３回転板を軸止めする構成とすることができる。
【考案の効果】
【００１０】
本考案では、適宜平面形状のベース板の表面に、任意の位置に設定した中心から放射状に複数の表示区画を形成し、各表示区画に、納付期間を示す年数表示と各年数に対応する給付額を記載する一方、前記表示区画の全区画を上面から覆う大きさの第１回転板を、その中心を前記ベース板の中心に軸止めすると共に、当該第１回転板に、前記表示区画における一つの区画に対応した開放窓を形成して成り、この第１回転板を回転させてその開放窓をベース板の表示区画における所望の納付年数に合せると、その年数の下に記載された給付額を当該窓から判読できるようにして年金早見表を構成したから、回転板を回転させる操作により、保険料の納付年数に応じた年金の年間給付額を容易かつ迅速に知ることができて便利である。
【考案を実施するための最良の形態】
【００１１】
次に本考案年金早見表の実施の形態について、図を参照して説明する。図１は本考案早見表の一例におけるベース板の表面側での構成を説明するための斜視図、図２は図１の早見表における裏面側の構成を説明するための斜視図である。
【００１２】
１は厚紙やプラスチック板などの板材により形成した、ここでは縦長長方形のベース板、２は該ベース板１の表面1aにおいて、上下方向の中間より稍上方に中心01を設定して描いた円形の表示部で、この表示部２には一例として全周を20等分する前記中心01から放射状に描いた区画線によって、20個の表示区画2a〜2t（図では中間の符号省略）が形成されている。なお、本考案において、ベース板１の平面形状は、上記の長方形に限られるものではなく、正方形や他の多角形、或は、円形であってもよい。要は、後に説明する表示欄が形成できるものであればよい。また、表示区画2a〜2tの数は、20個以上或は20個以下であってもよい。
【００１３】
前記20個の表示区画2a〜2tは、その外周寄りの年数表示欄2Aと各区画2a〜2tの年数表示欄2Aに対応した金額表示欄2Bに分けられ、各表示区画2a〜2tにおける各表示欄2Aと2Bに、それぞれ具体的な数字が記載されている。因みに、各年数表示欄2Aには、図示した例では納付期間が「20年」から「40年」までが１年ごとに各表示区画2a〜2tに記載され、給付金額（受給額ともいう、以下、同じ）の表示欄2Bには、上記の各納付期間に夫々に対応した給付金額が表示されている。
【００１４】
３は上記ベース板１の円形表示部２と同等乃至は少し小さい外形の円板によって形成した回転板で、この回転板３の表面には、前記ベース板１の１つの表示区画2a（〜2tのいずれか一つ）と略同じ左右幅の開放窓3aが形成され、該窓3aの脇に、「納付年数」と「受給額」の表示3bと3cが記載されている。
【００１５】
上記構成を備えた回転板３は、その中心02において、ベース板１に設定した中心01に、軸４により回転自在に止められることにより、本考案年金早見表の一例に形成される。
【００１６】
即ち、国民年金の保険料を、例えば30年間納付した人は、回転板３を指先で回転させて、その開放窓3aを、「納付年数」が「30年」に合せると、その数値の下（中心寄り側）に「595,900円」の金額が表示されているので、この金額が年金保険料を30年間納付した人の年間受給額になることが、直ちに判る。この例では「納付年数」が20年〜40年までと各年ごとの受給額が、ベース板１の表示部２における表示欄2A，2Bに記載されているから、開放窓3aを合せて各納付年数ごとにそれぞれの受給額を知ることができる。表示部２に記載する納付年数をもっと多くすれば、さらに広範囲の納付年数に対応した受給金額を回転板３の操作で知ることができる。
【００１７】
以上の説明は、保険料を一定の期間納付した場合の給付年金の金額を納付した年数ごとに知るための早見表であったが、基礎年金は、保険料の納付が一定条件の下で免除された場合にも給付されることが法定されている。
【００１８】
そこで本考案では、保険料の納付が免除された場合の給付金額を免除年数ごとに知ることができ、しかも、免除制度が半額免除と全額免除の２本建てであることに対応し、双方の免除年数ごとの給付金額を知ることができるように、上記ベース板１の裏面に、全額免除と半額免除の場合の免除年数と各年数での給付金額の早見表を形成したので、以下に図２を参照して説明する。
【００１９】
図２において、５は前記ベース板１の裏面1bに、先に設定した中心01を中心に描いた円形の第２表示部で、この表示部５には全周を20等分する中心01から放射状に描いた区画線によって20個の表示区画5a〜5t（図では中間の符号を省略）が形成されている。
【００２０】
前記20個の表示区画5a〜5tは、その外周寄りの全額免除年数表示欄5Aと各区画5a〜5tの年数表示部5Aに対応した金額表示欄5Bに分けられ、各表示区画5a〜5tにおける各表示欄5Aと5Bに、それぞれ具体的な数字が記載されている。因みに、全額免除の各年数表示欄5Aには、免除期間が「１年」から「20年」までが１年ごとに各表示区画5a〜5tに記載され、給付金額の表示欄5Bには、上記の各納付免除期間の夫々に対応した給付金額が表示されている。
【００２１】
６は上記ベース板１の裏面の円形表示部５より少し大きい外形乃至ほぼ同等の外形の円板によって形成した第２回転板で、この回転板６には、前記ベース板１の裏面の１つの表示区画5a（〜5tのいずれか）と略同じ幅の開放窓6aが形成され、該窓6aの脇に、「全額免除年数」と「受給額」の表示6bと6cが記載されている。
【００２２】
上記の第２回転板６は、その中心03において、ベース板１に設定した中心01に、第１回転板３と共通の軸４により回転自在に止められることにより、本考案における全額免除された場合の年金早見表の例に形成される。
【００２３】
即ち、国民年金の保険料の全額を、例えば10年間免除された人は、回転板６を指先で回転させて、その開放窓6aを、全額免除「年数」が「10年」のところに合せると、その数値の下（中心寄り側）に「66,200円」の金額が表示されるので、この金額が年金保険料の納付を10年間全額免除された人の年間受給額になることが直ちに判る。この例では「全額免除年数」が１年〜20年までベース板１裏面の表示部６に記載されているから各年ごとに受給額を知ることができる。表示部６に記載する納付手数をもっと多くすれば、さらに広範囲の免除年数に対応した受給金額を回転板６の一操作で知ることができる。
【００２４】
本考案においては、半額免除を受けた場合における給付額の早見表を、図２のベース板１の裏面1bにおいて、全額免除を受けた場合の給付額の早見表の上に、それと同軸上に形成している。
【００２５】
即ち、まず、ベース板１の裏面における第２表示部５と同心上であって、上記全額免除に関する表示欄5A，5Bの内側（中心寄り）に、半額免除の年数表示欄7Aと金額表示欄7Bとを、前記の各表示区画5a〜5tと同位相の各表示区画7a〜7t（図では中間の符号を省略）により形成している。
【００２６】
そして、上記半額免除に係る表示欄7A，7Bを覆う第２回転板６において、当該表示欄4Aと4Bを覆っている部分を、細い支骨6dを十字状に残して略１／４円弧状の４つの開放窓6eを形成することにより、第２回転円板６の上から見えるようにする。
【００２７】
上記のようにして、第２回転板６の４つの開放窓6eから見える半額免除に係る表示欄7A，7Bに対し、外周側に位置した表示欄7Aの外径と略同等の外径を有する回転板８であって、表示欄7A，7Bにおける一つの表示区画7a（〜7tの一つ）に見合う大きさ，形状の開放窓8aを形成した第３回転板８を、その中心04において上記の第１，第２の回転板３，６をベース板１に止める軸４によって回転可能に取付けることにより、半額免除に係る期間と各期間に対応した受給年金額を知るための早見表が、全額免除に係る早見表と同軸上であって、全額免除の早見表の内側（中心寄り）に形成される。
なお、前記開放窓8aの脇には、「半額免除年数」と「受給額」の表示8bと8cが記載されている点は、全額免除に係る開放窓6aの構成と同様である。
【００２８】
上記の半額免除に係る早見表において、表示欄7A，7Bはベース板１の裏面1bにおける全額免除に係る表示欄5A，5Bの内側（中心01寄り）に形成したが、本考案においては、この半額免除に係る表示欄7A，7Bを、第２回転板６の表面に形成した構成とすることもできる。半額免除に係る表示欄7A，7Bを第２回転板６の表面に形成すると、先の実施例において当該回転板６に形成した１／４円弧状の４つの開放窓6eは当然のことながら設ける必要がない。
【００２９】
第３回転板８の開放窓8aを半額免除された年数に合せれば、そこに受給年金額が窓8aから見える点は、先に説明した全額免除のケースと同様である。なお、図において、1c，1dはベース板１において、回転板３，６の回転をスムースに行うための凹状切欠き部である。
【産業上の利用可能性】
【００３０】
本考案年金早見表は以上の通りであって、３つの回転体を選択して回転させ、自分が納付した保険料の納付期間の年数、或は、納付が全額及び／又は半額免除など、免除された額とその免除期間の年数に、各回転体に形成した窓を合せれば、その合せた窓から見える年数に対応した受給できる年金額が現われるので、年金制度の詳細を知らなくても、自分の保険料納付のトータル年数、或は、免除されたトータル年数さえ判っていれば、たちどころに受給年金額を知ることができるので、給付される国民年金の年金額を簡易に知るためのツールとしてきわめて有用である。
【図面の簡単な説明】
【００３１】
【図１】本考案早見表の一例におけるベース板の表面側での構成を説明するための斜視図。
【図２】図１の早見表における裏面側の構成を説明するための斜視図。
【符号の説明】
【００３２】
１        ベース板
２        円形表示部
2A        年数表示欄
2B        金額表示欄
2a〜2t    20（年分）の表示区画
３        回転板
3a        開放窓
3b        「納付年数」表示
3c        「受給額」表示
【手続補正２】
【補正対象書類名】図面
【補正対象項目名】図２
【補正方法】変更
【補正の内容】
【図２】
0003108002.tif 000005